(57)【特許請求の範囲】
【請求項１】
後方視野デバイスシステムであって、
部分的に反射性で部分的に透過性の要素と、
前記部分的に反射性で部分的に透過性の要素と光通信する表示モジュールであって、
表示要素、
前記表示要素と光通信する光学ブロック、
前記光学ブロックを通って伝播する照明を放射し、前記表示要素をエッジライトで照らすように構成された少なくとも１つの光源を備える、第１の回路基板、
前記光学ブロックと動作可能に接続され、少なくとも１つの開口部を画定する光学ホルダ、及び
前記少なくとも１つの開口部および前記光学ブロックを通って伝播する照明を放射して、前記表示要素の一部およびアイコンのうちの少なくとも１つをバックライトで照らすように構成された少なくとも１つの光源を備える、第２の回路基板、
を含む表示モジュールと、
を備え、
前記第１の回路基板の前記光源および前記第２の回路基板の前記光源によって放射された光が、前記部分的に反射性で部分的に透過性の要素を通して視認可能である、後方視野デバイスシステム。
【請求項２】
前記部分的に反射性で部分的に透過性の要素が電気光学部材である、請求項１に記載の後方視野デバイスシステム。
【請求項３】
前記部分的に反射性で部分的に透過性の要素が電気着色部材である、請求項２に記載の後方視野デバイスシステム。
【請求項４】
（１）前記少なくとも１つの開口部および前記光学ブロックを通って伝播する照明を放射して、前記表示要素の一部および前記アイコンのうちの少なくとも１つをバックライトで照らすように構成された前記少なくとも１つの光源が、起動されている場合であって、且つ、
（２）前記光学ブロックを通って伝播する照明を放射し、前記表示要素をエッジライトで照らすように構成された前記少なくとも１つの光源が、起動されているかまたは停止されているかのうちの少なくとも１つである場合に、
前記アイコンが視認可能である、請求項１〜３のいずれか一項に記載の後方視野デバイスアセンブリ。
【請求項５】
前記表示モジュールが、前記部分的に反射性で部分的に透過性の要素の形状に対応する形状を有し、前記表示要素が、ＬＣＤ、ＬＥＤ、ＯＬＥＤ、プラズマ、またはＤＬＰ表示要素である、請求項１〜４のいずれか一項に記載の後方視野デバイスシステム。
【請求項６】
前記表示モジュールが、前記表示要素に示された視野に関して、見る者に情報を提供する画像を表示する、請求項１〜５のいずれか一項に記載の後方視野デバイスシステム。
【請求項７】
前記部分的に反射性で部分的に透過性の要素の外周部から盛り上がったハウジングをさらに備える、請求項１〜６のいずれか一項に記載の後方視野デバイスシステム。
【請求項８】
後方視野デバイスアセンブリであって、
部分的に反射性で部分的に透過性の要素と、
前記部分的に反射性で部分的に透過性の要素と光通信する表示モジュールであって、
前記部分的に反射性で部分的に透過性の要素を通して視認可能であるように構成されたアイコン、
表示要素、
前記表示要素と光通信する光学ブロック、
前記光学ブロックと動作可能に接続された光学ホルダ、
前記光学ブロックを通って伝播する照明を放射し、前記表示要素をエッジライトで照らす第１の光源を含む、第１のプリント回路基板、
前記プリント回路基板と電気的に接続され、かつ、前記光学ホルダ、光学ブロック、および表示要素を通して光を伝播する第２の光源を含む、第２のプリント回路基板、
を含む表示モジュールと、
を備え、
前記プリント回路基板に電気的に接続された前記少なくとも１つの光源によって放射された前記光が、前記アイコンを照明し、前記部分的に反射性で部分的に透過性の要素を通して視認可能である、後方視野デバイスアセンブリ。
【請求項９】
前記表示モジュールを停止させ、同時に、前記部分的に反射性で部分的に透過性の要素を軸外位置に動かすように構成された作動デバイス、をさらに備える、請求項８に記載の後方視野デバイスアセンブリ。
【請求項１０】
前記表示要素の視野領域で視認可能である前記表示モジュール上に配置された、部分的に透過性のグラフィックオーバレイおよび画像のうちの１つをさらに備える、請求項８および９のいずれか一項に記載の後方視野デバイスアセンブリ。
【請求項１１】
前記光学ホルダが、開口部を通して光を方向付けるように構成された光パイプをさらに含む、請求項８〜１０のいずれか一項に記載の後方視野デバイスアセンブリ。
【請求項１２】
前記第２の光源が起動される場合、前記アイコンが視認可能であり、前記第１の光源は起動されているか停止されている、のうちの１つである、請求項８〜１１のいずれか一項に記載の後方視野デバイスアセンブリ。
【請求項１３】
前記表示モジュールが、前記部分的に反射性で部分的に透過性の要素の形状に対応する形状を有し、前記表示要素が、ＬＣＤ、ＬＥＤ、ＯＬＥＤ、プラズマ、またはＤＬＰ表示要素である、請求項８〜１２のいずれか一項に記載の後方視野デバイスアセンブリ。
【請求項１４】
前記表示モジュールが、前記表示要素において示される前記視野に関して、見る者に情報を提供する画像を表示する、請求項８〜１３のいずれか一項に記載の後方視野デバイスアセンブリ。
【請求項１５】
後方視野デバイスアセンブリであって、
電気光学要素と、
部分的に反射性で部分的に透過性の要素と光通信する表示モジュールと、
を備え、
前記表示モジュールが、
表示要素、
前記表示要素と光通信する光学ブロック、
前記光学ブロックを通して照明を放射し、前記表示要素をエッジライトで照らす第１の光源、
前記光学ブロックと動作可能に接続され、少なくとも１つの開口部を画定する光学ホルダ、
前記少なくとも１つの開口部および前記光学ブロックを通して照明を放射して、前記表示要素の一部およびアイコンのうちの少なくとも１つをバックライトで照らす第２の光源、
を有し、
前記第１の光源および前記第２の光源によって放射された前記光が、前記電気光学要素を通して視認可能である、後方視野デバイスアセンブリ。
【請求項１６】
前記少なくとも１つの光源が、前記少なくとも１つの開口部および前記光学ブロックを通って伝播する照明を放射して、前記表示要素の一部および前記アイコンのうちの少なくとも１つをバックライトで照らす場合、前記アイコンを見ることができ、
前記少なくとも１つの光源は、起動および停止のうちの少なくとも１つの間中、前記光学ブロックを通って伝播する照明を放射し、前記表示要素をエッジライトで照らすように構成されている、請求項１５に記載の後方視野デバイスアセンブリ。
【請求項１７】
前記第１および第２の光源が、互いに直交して配向されている、請求項１５および１６のいずれか一項に記載の後方視野デバイスアセンブリ。
【請求項１８】
前記第１および第２の光源が、それぞれ第１および第２のプリント回路基板と動作可能に接続されている、請求項１５〜１７のいずれか一項に記載の後方視野デバイスアセンブリ。
【請求項１９】
前記表示モジュールが、前記部分的に反射性で部分的に透過性の要素の形状に対応する形状を有し、前記表示要素が、ＬＣＤ、ＬＥＤ、ＯＬＥＤ、プラズマ、またはＤＬＰ表示要素である、請求項１５〜１８のいずれか一項に記載の後方視野デバイスアセンブリ。
【請求項２０】
前記表示モジュールが、前記表示要素において示される前記視野に関して、見る者に情報を提供する画像を表示する、請求項１５〜１９のいずれか一項に記載の後方視野デバイスアセンブリ。
【発明の詳細な説明】
【技術分野】
【０００１】
本発明は、概して、後方視野デバイスシステムに関し、より詳細には、表示装置付き後方視野システムに関する。
【発明の概要】
【０００２】
本発明の少なくとも１つの態様は、部分的に反射性で部分的に透過性の要素と、部分的に反射性で部分的に透過性の要素と光通信する表示モジュールと、を有する後方視野デバイスシステムを含み、該表示モジュールは、表示装置、当該表示装置と光通信する光学ブロック、当該光学ブロックを通って伝播する照明を放射し、前記表示要素をエッジライトで照らすように構成された少なくとも１つの光源を含む第１の回路基板、前記光学ブロックと動作可能に接続され、少なくとも１つの開口部を画定する光学ホルダ、前記少なくとも１つの開口部および前記光学ブロックを通って伝播する照明を放射して、前記表示装置の一部およびアイコンのうちの少なくとも１つをバックライトで照らすように構成された少なくとも１つの光源を含む第２の回路基板、を有し、第１の回路基板の光源および第２の回路基板の光源によって放射された光は、前記部分的に反射性で部分的に透過性の要素を通して視認可能である。
【０００３】
本発明の少なくとも１つの態様は、部分的に反射性で部分的に透過性の要素と、部分的に反射性で部分的に透過性の要素と光通信する表示モジュールと、を有する後方視野デバイスシステムを含み、該表示モジュールは、部分的に反射性で部分的に透過性の要素を通って視認可能であるように構成されたアイコン、表示要素、当該表示要素と光通信する光学ブロック、当該光学ブロックと動作可能に接続された光学ホルダ、前記光学ブロックを通って伝播する照明を放射し、前記表示要素をエッジライトで照らすように構成されたエッジライト型プリント回路基板、前記光学ホルダ、前記光学ブロックおよび前記表示要素を通って光を伝播するように構成された前記プリント回路基板に電気的に接続された少なくとも１つの光源を有するプリント回路基板、を有し、プリント回路基板に電気的に接続された前記少なくとも１つの光源によって放射される光は、前記アイコンを照明し、前記部分的に反射性で部分的に透過性の要素を通して視認可能である。
【０００４】
本発明の、これらおよび他の特徴、利点、および目的は、以下の明細書、特許請求の範囲、および添付図面を参照して、当業者によってさらに理解および認識されることになる。
【図面の簡単な説明】
【０００５】
【図１】本発明の一実施形態による、後方視野デバイスシステムの上部正面斜視図である。
【０００６】
【図２】図１の後方視野デバイスシステムの底部正面斜視図である。
【０００７】
【図３】図１の後方視野デバイスシステムの側面立面図である。
【０００８】
【図４】線Ｉ−Ｉを横切る図１の後方視野デバイスシステムの断面図である。
【発明を実施するための形態】
【０００９】
図示されたこの実施形態は、後方視野デバイスシステム、より詳細には、表示装置付きバックミラーシステムに関する、方法ステップおよび装置構成要素の組合せに主に属する。したがって、装置構成要素および方法ステップは、該当する場合、詳細によって開示を不明瞭にしないように、本発明の実施形態を理解することに関するそれらの特定の詳細のみを示す図面において、従来の符号によって表されている。前記詳細は、本明細書の説明の恩恵を有する当業者に容易に明らかになる。さらに、説明および図面における同類の数字は、同類の要素を表す。
【００１０】
本明細書における記述の目的のために、用語「上部の」、「下部の」、「右の」、「左の」、「後方の」、「前方の」、「垂直の」、「水平の」、およびそれについての派生語は、図１において関連付けられた発明に関するものとする。別様に述べられない限り、用語「前方の」は、表示ミラーを見ることを意図される者により近い要素の表面を指すものであり、用語「後方の」は後方視野デバイスシステムを見ることを意図された者から離れた要素の表面を指すものである。しかしながら、それとは逆に明確に特定されたもの以外は、発明はさまざまな代わりの配向をとってもよい、と理解されるべきである。添付図面に図示され、かつ以下の明細書に記述された特定のデバイスおよびプロセスは、添付された特許請求の範囲において定義された発明概念の単なる例示的な実施形態であることも理解されるべきである。したがって、本明細書に開示された実施形態に関する特定の寸法および他の物理的特性は、特許請求の範囲が明示的に別段に述べない限り、限定するものと見なされるべきではない。
【００１１】
用語「ｉｎｃｌｕｄｉｎｇ（含む）」、「ｃｏｍｐｒｉｓｅｓ（備える）」、「ｃｏｍｐｒｉｓｉｎｇ（備える）」、または任意の他の変形は、要素のリストを備えるプロセス、方法、物品、または装置が、それらの要素のみを含むのではなく、このようなプロセス、方法、物品、または装置に明示的に列挙されもせず、固有でもない他の要素を含んでもよいように、非排他的包括にわたるように意図される。「ｃｏｍｐｒｉｓｅｓ  ａ．．．」によって始められる要素は、さらなる制約を受けずに、その要素を備えるプロセス、方法、物品、または装置において、追加の同一要素の存在を妨げない。
【００１２】
図１〜図３を参照すると、参照番号１０は、後方視野デバイスシステムまたは車両用アセンブリを概して指定する。後方視野デバイスシステム１０は、電気光学要素（本明細書において「ガラス要素」とも呼ばれる）などの部分的に反射性で部分的に透過性の要素１２、および、当該部分的に反射性で部分的に透過性の要素１２を通って見られる表示モジュール、を含む。後方視野デバイスシステム１０は、部分的に反射性で部分的に透過性の要素１２と表示モジュールとを保護し支持する前側シールド１４および後側シールド１６を更に含む。図４に示されるように、表示モジュールは、表示要素２２、光学ブロック２４、吸熱器２６、および、一次プリント回路基板２８を含む、いくつかの構成要素を概して含む。ハウジング３０は、前側シールド１４、表示モジュールおよび後側シールド１６を少なくとも部分的に収容し、そこから後方に延在する取り付け部材３２を含む。取り付け部材３２は、車両のフロントガラスに取り付けるために適合化される。表示モジュールは、部分的に反射性で部分的に透過性の要素１２の形状に対応する形状を有する。表示要素２２は、液晶表示装置（ＬＣＤ）、発光ダイオード（ＬＥＤ）、有機発光ダイオード（ＯＬＥＤ）、プラズマ、またはデジタル光処理（ＤＬＰ）表示要素であってもよい。
【００１３】
図１〜図３を全体的に参照すると、後方視野デバイスシステム１０は、ガラス要素１２の前面４２を含む、視域４０を有する。視域４０は、四角形形状、台形形状、または審美的理由のために望まれた任意の特別注文の輪郭形状であってもよい。
【００１４】
ガラス要素１２は、外部周囲４６および当該外部周囲４６の周りの縁４８を有して、ほぼ平面状である。縁４８は、制限することなく、シール、アップリケ、発泡接着剤、またはパッド印刷を含む、後方視野デバイスシステム１０においてガラス要素１２の後方に位置する１つまたは複数の要素を隠すように、クロム輪または他の同様の仕上げ材を組み込んでもよい。縁４８は、ガラス要素１２の外部周囲４６から表示要素２２の外端まで延在してもよい。あるいは、縁４８は、より狭くて、縁４８の少なくともいくつかの部分に沿って、外部周囲４６から表示要素２２の外端まで達しなくてもよい。ガラス要素１２の周囲は、接地端、ベゼル端を有してもよく、またはフレームレスであってもよい。ハウジング３０はまた、部分的に反射性で部分的に透過性の要素１２の外部周囲４６から盛り上がっていてもよい。
【００１５】
ガラス要素１２は、電気光学要素またはプリズムなどの要素であってもよい。電気光学要素の１つの非限定的な例は、少なくとも１つの溶媒、少なくとも１つの陽極材料、および、少なくとも１つの陰極材料を含む、電気着色媒体である。典型的に、陽極材料および陰極材料の両方とも電気活性的であり、そのうちの少なくとも１つは電気着色的である。その通常の意味にかかわらず、用語「電気活性的」は、特定の電位差にさらされてその酸化状態に変質を受ける材料として、本明細書に定義されることが理解されるだろう。さらに、用語「電気着色的」は、その通常の意味にかかわらず、特定の電位差にさらされて１つまたは複数の波長でのその消衰係数において変化を示す材料として、本明細書において定義されることが理解されるであろう。電気着色的構成要素は、本明細書に記述されるように、電流が材料に印加される場合に、色または不透明度が第１の段階から第２の段階に変化するように、その色または不透明度が電流によって影響を受ける材料を含む。電気着色的構成要素は、参照によりそれらの全体が本明細書に組み込まれている、「Ｅｌｅｃｔｒｏｃｈｒｏｍｉｃ  Ｌａｙｅｒ  Ａｎｄ  Ｄｅｖｉｃｅｓ  Ｃｏｍｐｒｉｓｉｎｇ  Ｓａｍｅ」と題された米国特許第５，９２８，５７２号、「Ｅｌｅｃｔｒｏｃｈｒｏｍｉｃ  Ｃｏｍｐｏｕｎｄｓ」と題された米国特許第５，９９８，６１７号、「Ｅｌｅｃｔｒｏｃｈｒｏｍｉｃ  Ｍｅｄｉｕｍ  Ｃａｐａｂｌｅ  Ｏｆ  Ｐｒｏｄｕｃｉｎｇ  Ａ  Ｐｒｅ−ｓｅｌｅｃｔｅｄ  Ｃｏｌｏｒ」と題された米国特許第６，０２０，９８７号、「Ｅｌｅｃｔｒｏｃｈｒｏｍｉｃ  Ｃｏｍｐｏｕｎｄｓ」と題された米国特許第６，０３７，４７１号、「Ｅｌｅｃｔｒｏｃｈｒｏｍｉｃ  Ｍｅｄｉａ  Ｆｏｒ  Ｐｒｏｄｕｃｉｎｇ  Ａ  Ｐｒｅ−ｓｅｌｅｃｔｅｄ  Ｃｏｌｏｒ」と題された米国特許第６、１４１、１３７号、「Ｅｌｅｃｔｒｏｃｈｒｏｍｉｃ  Ｓｙｓｔｅｍ」と題された米国特許第６、２４１、９１６号、「Ｎｅａｒ  Ｉｎｆｒａｒｅｄ−Ａｂｓｏｒｂｉｎｇ  Ｅｌｅｃｔｒｏｃｈｒｏｍｉｃ  Ｃｏｍｐｏｕｎｄｓ  Ａｎｄ  Ｄｅｖｉｃｅｓ  Ｃｏｍｐｒｉｓｉｎｇ  Ｓａｍｅ」と題された米国特許第６、１９３、９１２号、「Ｃｏｕｐｌｅｄ  Ｅｌｅｃｔｒｏｃｈｒｏｍｉｃ  Ｃｏｍｐｏｕｎｄｓ  Ｗｉｔｈ  Ｐｈｏｔｏｓｔａｂｌｅ  Ｄｉｃａｔｉｏｎ  Ｏｘｉｄａｔｉｏｎ  Ｓｔａｔｅｓ」と題された米国特許第６、２４９、３６９号、「Ｅｌｅｃｔｒｏｃｈｒｏｍｉｃ  Ｍｅｄｉａ  Ｗｉｔｈ  Ｃｏｎｃｅｎｔｒａｔｉｏｎ  Ｅｎｈａｎｃｅｄ  Ｓｔａｂｉｌｉｔｙ，Ｐｒｏｃｅｓｓ  Ｆｏｒ  Ｔｈｅ  Ｐｒｅｐａｒａｔｉｏｎ  Ｔｈｅｒｅｏｆ  ａｎｄ  Ｕｓｅ  Ｉｎ  Ｅｌｅｃｔｒｏｃｈｒｏｍｉｃ  Ｄｅｖｉｃｅｓ」と題された米国特許第６，１３７，６２０号、「Ｅｌｅｃｔｒｏｃｈｒｏｍｉｃ  Ｄｅｖｉｃｅ」と題された米国特許第６，５１９，０７２号、「Ｅｌｅｃｔｒｏｃｈｒｏｍｉｃ  Ｐｏｌｙｍｅｒｉｃ  Ｓｏｌｉｄ  Ｆｉｌｍｓ，Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃ���ｓ」と題された国際特許出願第ＰＣＴ／ＵＳ９８／０５５７０号、「Ｅｌｅｃｔｒｏｃｈｒｏｍｉｃ  Ｐｏｌｙｍｅｒ  Ｓｙｓｔｅｍ」と題された国際特許出願第ＰＣＴ／ＥＰ９８／０３８６２号、「Ｅｌｅｃｔｒｏｃｈｒｏｍｉｃ  Ｐｏｌｙｍｅｒｉｃ  Ｓｏｌｉｄ  Ｆｉｌｍｓ，Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題された国際特許出願第ＰＣＴ／ＵＳ９８／０５５７０号、において記述されたように、単層で単相の構成要素、多層の構成要素、または多相の構成要素であってもよい。ガラス要素１２は、部分的に反射性で部分的に透過性の特性を有する他の任意の要素であってもよい。電流をガラス要素１２に供給するために、それらの間に電位を生成するように、電気要素が要素の反対側に供給される。Ｊクリップは、それぞれの電気要素と電気的に係合され、素線がＪクリップから一次プリント回路基板２８に延在する。
【００１６】
以下の記述に関して、後方視野デバイスシステム１０は、ガラス要素１２の平面に垂直な直線が見る者の目の方に向かって延在する場合に、「軸上」と見なされる。ガラス要素１２を通して見られる表示要素２２が原因で、ガラス要素１２上の眩輝が表示要素２２の視認性に干渉することがある。後方視野デバイスシステム１０が軸上にあり、夜間運転状態の間に使用される場合には、トレーリング車両（すなわち、後方視野デバイスシステム１０を備えた車両の後ろを走行する車両）からのヘッドライトは、運転者に見える眩輝を引き起こし得る。本発明の一実施形態により、図２に示されるように、動作デバイス１７６は、後方視野デバイスシステム１０と動作可能に結合される。作動デバイス１７６は、図示されたように、ボタンを含んでもよく、または「軸上」位置と「軸外」位置との間で表示装置を動かすように構成された、フリッパまたは他の作動部材を含んでもよいことが理解されるだろう。作動されると、作動デバイス１７６は、少なくともガラス要素１２を軸外に動かす（すなわち、運転者の目の方に向かう直線から離れる）。典型的には、作動デバイス１７６の発動は、ガラス要素１２を上方へ傾斜させ、ミラーを軸外位置に動かす。しかしながら、作動デバイス１７６は軸に対していかなる方向にもミラーを動かすように構成され得ることを、認識されるべきである。作動デバイス１７６は、起動されると、表示要素２２を動かすようにも構成され得る。作動デバイス１７６は、表示要素２２のスイッチの入切をするようにも構成され得る。したがって、作動デバイス１７６がミラーを軸外に動かすように作動される場合、表示要素２２はスイッチを切られ得る、つまり停止され得る。
【００１７】
さらに、後方視野デバイスシステム１０を見る者に情報を提供するために、後方視野デバイスシステム１０は、後方視野デバイスシステム１０が使用中の場合、視域４０で視認可能な表示要素２２上の部分的に透過性のグラフィックオーバレイまたは画像などの、視界１７８に関する情報を含んでもよい。
【００１８】
図４に示されるように、後方視野デバイスシステム１０は、プリント回路基板１２０に電気的に接続され、かつ、光学ブロック２４を通って表示要素２２に光を伝播させるように構成された、少なくとも１つの光源２０３（例えば、ＬＥＤ）を備えるように構成される。アイコン２０２が、表示要素２２上で視認可能で、部分的に反射性で部分的に透過性の要素１２を通して見ることができる。少なくとも１つの光源２００が、主プリント回路基板２８に電気的に接続され、光学ホルダ２０１において画定された開口部を通って伝播する照明を放射するように構成される。光学ホルダ２０１は、光パイプ２０５を固定する。光は、部分的に反射性で部分的に透過性の要素１２を通して見ることができる。図示されたように、光学ホルダ２０１は、光学ブロック２４の裏面に沿って延在する係合壁２１２を有する保持部材２１０を含む。保持部材２１０は、光学ブロック２４および主プリント回路基板２８にほぼ直交して延在する保持壁２１４も含む。保持壁２１４は、光パイプ２０５の少なくとも一部と係合する。図示されたように、光パイプ２０５は、光源２００に隣接する近接部を含む。光パイプ２０５は、フレアが反射性フィルム２０４を外側に通過した遠位部も含む。
【００１９】
再び図４を参照すると、少なくとも１つの光源２００によって放射された光が光ホルダ２０１を通って伝播すると、当該光は光学ブロック２４を通って導かれる。反射性フィルム２０４は、光学ホルダ２０１と光学ブロック２４との間の反射性材料のない領域を画定し、少なくとも１つの光源２００によって放射された光が、光学ホルダ２０１の光パイプ２０５を通って光学ブロック２４の中に伝播することができるようになる。少なくとも１つの光源２００によって放射された光は、光学ブロック２４を通って伝播すると、その後、その光は表示要素２２を通って方向付けられる。少なくとも１つの光源２００によって放射された光は、その後、アイコン２０２によって部分的に遮断されるかフィルタ処理され、アイコン２０２の画像が部分的に反射性で部分的に透過性の要素１２を通して見られることができるように、少なくとも１つの光源２００によって放射されたある光がアイコン２０２を通過するようになる。アイコン２０２は、任意のアイコン、ロゴ、商標などを含むことができる。さらに、アイコン２０２は、表示要素２２に埋め込まれてもよいか、または、表示要素２２上に、エッチングされるか、刻まれるか、または他の方法で形成されてもよい。あるいは、アイコン２０２は、表示要素２２上に付着された、部分的に透過性のグラフィックオーバレイまたは画像であってもよい。
【００２０】
図４を再び参照すると、プリント回路基板１２０は、主プリント回路基板２８に対してほぼ直交して延在する。しかしながら、プリント回路基板１２０およびプリント回路基板２８が、互いに対してどんな他の角度でも延在し得ることも、理解されるべきである。さらに、プリント回路基板１２０およびプリント回路基板２８は、互いに平行に延在し得る。加えて、光源２００および光源２０３は、同一または異なる特性を含み得ることも考えられる。例えば、光源２００および２０３は、異なる光色を放射し、異なる光強度を有し、またはそれらの組合せを有し得ることが概して考えられる。さらに、光源２０３から放射された光の大部分が、光ブロック２４によって捕捉され、かつ、表示要素２２に中継されるように、光学ブロック２４は光源２０３より大きいかまたは等しい幅を含んでもよい。あるいは、光源２０３から放射されたいくらかの光が、光学ブロック２４によって捕捉されず、かつ、表示要素２２に中継されるように、光学ブロック２４は光源２０３より小さい幅を含んでもよい。
【００２１】
図４におけるシステムを組み込んでいる場合、それは、以下に限定されないが、車両の付属品システムにリンクされたアイコンなどのアイコンを見ることを車両のユーザに許容し、一例は、車庫扉オープナーが起動したことをユーザに示すか、または、それらの車庫扉が開いたままか閉鎖位置にあるかをユーザに知らせるために車庫扉状態付きアイコンを表示する、ＨｏｍｅＬｉｎｋ（登録商標）アイコンである。さらに、アイコンは、バックミラーシステムの起動、または、表示装置が停止していてユーザが従来のバックミラーを使用しているかどうか、を示すために記号を照光してもよい。
【００２２】
本明細書に記載される本開示の実施形態は、ある特定の非プロセッサ回路と併せて、本明細書に記載される表示ミラーアセンブリ１０の機能のうちのいくつか、ほとんど、または全てを実装する一つ以上の従来のプロセッサ、ならびに、一つ以上のプロセッサを制御する固有の記憶されたプログラム命令、からなり得ることが理解されよう。非プロセッサ回路には、信号ドライバ、クロック回路、電源回路、および／またはユーザ入力デバイスが含まれ得るが、これらに限定されない。そのようなものとして、これらの機能は、分類システムを使用または構築するのに用いられる方法の工程として解釈され得る。代替的に、いくつかまたは全ての機能は、記憶されたプログラム命令を有しない状態機械によって、または、各機能もしくは機能のうちある特定のもののいくつかの組み合わせがカスタムロジックとして実装される一つ以上の特定用途向け集積回路（ＡＳＩＣ）において、実装されることが可能である。当然のことながら、これらの二つのアプローチの組み合わせを使用することが可能である。故に、これらの機能のための方法および手段が本明細書に記載されてきた。さらに、当業者であれば、例えば、利用可能な時間、現在の技術、および経済的配慮によって動機付けられる、有意の努力および多くの設計選択にもかかわらず、本明細書に開示される概念および原理によって導かれるとき、最小限の実験をもってかかるソフトウェア命令およびプログラムならびにＩＣを容易に生成可能であろうことが予想される。
【００２３】
記述された発明および他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００２４】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００２５】
例示的な実施形態において示されるような本発明の要素の構築および配置は、単に説明的であることに注意することも重要である。本発明の少数の実施形態だけが、本開示において詳細に記述されているが、本開示を検討する当業者は、列挙された主題の新規の教示および利点から逸脱することなく、多くの修正が可能（例えば、さまざまな要素のサイズ、寸法、構造、形および比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インタフェースの操作が逆にまたは他の態様に変化されてもよく、システムの構造および／または部材またはコネクタまたは他の要素の長さまたは幅が変化されてもよく、要素間に提供された調整位置の性質または個数が変化されてもよい。システムの要素および／またはアセンブリは、任意の広範な色、質感、および組合せにおいて、十分な強度または耐久性を提供する、任意の広範な材料から構成されてもよい。その結果、すべてのこのような修正は、本発明の範囲内に含まれるように意図される。他の代用、修正、変化、および省略は、本発明の精神から逸脱することなく、所望の他の例示的な実施形態のデザイン、操作条件および配置において、なされ得る。
【００２６】
いずれの説明されたプロセスまたは説明されたプロセス内のステップも、その他の開示されたプロセスまたはステップと組み合わされ、本デバイスの範囲内で構造を形成し得ることが理解されるであろう。本明細書に開示された例示的な構造およびプロセスは、説明のためのものであり、制限として解釈してはならない。
【００２７】
変形および修正が、本デバイスの概念から逸脱することなく、前述の構造および方法においてなされ得ることも理解されるべきであり、さらに、このような概念は、特許請求の範囲がそれらの言葉で別段に明確に述べられていない限り、以下の特許請求の範囲に含まれるものとされることが理解されるべきである。
【図１】
0006367486.tif 000002
【図２】
0006367486.tif 000003
【図３】
0006367486.tif 000004
【図４】
0006367486.tif 000005